(57)【要約】  【課題】カラー画像と、画質劣化の無い白黒画像とを撮ることができる撮像装置を提供する。  【解決手段】、単板カラー撮像素子により入力画像を得る撮像手段１０１と、画像信号をディジタル信号に変換するＡ／Ｄ変換手段１０２と、Ａ／Ｄ変換手段１０２の出力信号のゲインを画素毎に調整するゲイン補正手段１０３と、画像をカラー画像にするか白黒画像にするかを指定するカラー／白黒指定手段１０５と、画像の指定に応じてフィルタ係数を選択したフィルタを用いて画像信号にフィルタ処理を施すフィルタ手段１０６と、カラー画像用の処理を行う信号処理手段１０７とを設け、カラー画像信号として信号処理手段で１０７処理された信号を出力し、白黒画像信号としてフィルタ手段１０６で処理された信号を出力する。ゲイン補正処理後にフィルタ処理を施しているため、画素単位のばらつきが抑えられ、高解像度の白黒画像が取得できる。  【選択図】図１
2005328338.tif 000002
【特許請求の範囲】
【請求項１】
特定の色に感度を持つ色フィルタをマトリクス状に配列した単板カラー撮像素子により入力画像を得る撮像手段と、
前記撮像手段の出力信号をディジタル信号に変換するＡ／Ｄ変換手段と、
前記Ａ／Ｄ変換手段の出力信号のゲインを画素毎に調整するゲイン補正手段と、
前記撮像手段で撮像される画像をカラー画像にするか白黒画像にするかを指定するカラー／白黒指定手段と、
前記カラー／白黒指定手段が指定する画像に応じてフィルタ係数を選択したフィルタを用いて、前記ゲイン補正手段によりゲインが調整された信号にフィルタ処理を施すフィルタ手段と、
前記フィルタ手段で処理された信号にカラー画像用の処理を行う信号処理手段と
を備え、カラー画像信号として、前記信号処理手段で処理された信号を出力し、白黒画像信号として、前記フィルタ手段で処理された信号を出力することを特徴とする撮像装置。
【請求項２】
前記フィルタ手段は、前記カラー／白黒指定手段の出力に応動して前記フィルタの係数を切り替えることを特徴とする請求項１に記載の撮像装置。
【請求項３】
請求項１乃至２に記載の撮像装置と、
前記撮像装置のカラー／白黒指定手段の指定情報に応じて、前記撮像装置から出力されるカラー画像信号または白黒画像信号を選択する信号選択手段と、
前記信号選択手段により選択された白黒画像信号を用いて文字認識を行う文字認識手段と
を備えることを特徴とする撮像装置付き文字認識装置。
【請求項４】
請求項１乃至２に記載の撮像装置と、
前記撮像装置から出力される白黒画像信号を２値画像信号に変換する２値化手段と、
前記撮像装置のカラー／白黒指定手段の指定情報に応じて、前記撮像装置から出力されるカラー画像信号、または、前記２値化手段から出力される２値画像信号を選択する信号選択手段と、
前記信号選択手段により選択されたカラー画像信号または２値画像信号を圧縮する圧縮手段と、
前記圧縮手段で圧縮された画像信号を保存する保存手段と
を備えることを特徴とする撮像装置付き携帯端末。
【請求項５】
請求項１乃至２に記載の撮像装置と、
前記撮像装置のカラー／白黒指定手段の指定情報に応じて、前記撮像装置から出力されるカラー画像信号または白黒画像信号を選択する信号選択手段と、
前記信号選択手段により選択されたカラー画像信号または白黒画像信号をＦＡＸ信号に変換する変換手段と、
前記変換手段により変換されたＦＡＸ信号を送信するＦＡＸ送信手段と
を備えることを特徴とする撮像装置付き携帯端末。
【発明の詳細な説明】
【技術分野】
【０００１】
本発明は、カラー画像及び白黒画像の撮像が可能な撮像装置と、この撮像装置を備えた携帯端末に関し、特に、解像度の高い白黒画像が得られるようにしたものである。
【背景技術】
【０００２】
近年、撮像装置付の携帯電話が広く普及している。こうした携帯端末のカラー画像撮像装置では、低コスト化や低消費電力化を図るため、単板式の撮像方式が多く用いられている。単板式の撮像装置は、特定の色に感度を持つ領域がマトリクス状に配列されたカラーフィルタと単板イメージセンサとを重ね合わせた単板カラー撮像素子によってカラー画像を得ている。
このカラーフィルタには、図６に示すように、Ｇ（緑）の感度を持つカラーフィルタＧ１２、Ｇ２１、Ｇ２３、Ｇ３２が市松状に配列され、その間を埋めるようにＲ（赤）の感度を持つカラーフィルタＲ２２と、Ｂ（青）の感度を持つカラーフィルタＢ１１、Ｂ１３、Ｂ３１、Ｂ３３とがライン毎に一行ずつ配列され、それらの配列が二次元的に繰り返されている。このような配列はベイヤー配列と呼ばれている。
この単板カラー撮像素子では、各画素の１つにつき、その画素の前に位置するカラーフィルタの単色の情報しか読み取ることができない。そのため、この撮像装置では、注目画素の近隣の画素における読み取り情報を用いて、注目画素のカラー信号を生成する処理が行われる（例えば、下記非特許文献１参照）。これをカラー補間処理と言う。
【０００３】
図６において、注目画素におけるＲ、Ｇ、Ｂの信号をＲ２２、Ｇ２２、Ｂ２２とすると、それぞれの信号は、以下の（数１）、（数２）、（数３）により求められる。
Ｒ２２  ＝  Ｒ２２                                    ・・・・・（数１）
Ｇ２２  ＝  （Ｇ１２＋Ｇ２１＋Ｇ２３＋Ｇ３２）／４    ・・・・・（数２）
Ｂ２２  ＝  （Ｂ１１＋Ｂ１３＋Ｂ３１＋Ｂ３３）／４    ・・・・・（数３）
【０００４】
上記の式をフィルタ処理として表した図が図７（ａ）、（ｂ）である。図７（ａ）は、注目画素がＲ（赤）の感度を持つカラーフィルタを備えている場合の、Ｇ信号を生成するためのフィルタ係数を示している。つまり、注目画素のＧ信号を生成するため、注目画素に対して上下左右の４画素の加算平均を取るように周辺３×３画素のフィルタ処理を施している。また、図７（ｂ）は、注目画素がＲの感度を持つカラーフィルタを備えている場合の、Ｂ信号を生成するためのフィルタ係数を示している。つまり、注目画素のＢ信号を生成するため、注目画素に対して斜め４５°方向の４画素の加算平均を取るように周辺３×３画素のフィルタ処理を施している。
同様に、注目画素がＧの感度を持つカラーフィルタを備えている場合、及び、注目画素がＢの感度を持つカラーフィルタを備えている場合にも、周辺３×３画素での読み取り情報を用いて他の色の信号を得ている。
【０００５】
また、上記のようにして求めた３色の信号を用いて注目画素の輝度信号Ｙが次の（数４）により求められる。
Ｙ＝０．５９×Ｇ２２＋０．３×Ｒ２２＋０．１１×Ｂ２２  ・・・・（数４）
こうして求めた輝度信号に対して輪郭強調などの処理が施され、処理後の輝度信号とカラー補間で求めた３色の色信号とを用いて各画素のＲＧＢ３原色信号が再構成される。
このように、従来の単板カラー撮像素子を備える撮像装置では、注目画素に対して周辺の画素における情報を用いてカラー補間処理が行われ、そのカラー信号から輝度信号の生成が行われている。
【０００６】
また、下記特許文献１には、カラー画像及び白黒画像の撮像が可能な撮像装置が記載されている。この装置は、図８に示すように、光学像を撮像装置内部に導く光学レンズ８０１と、この光学像を撮像して画像信号を生成する単板カラーイメージセンサ（単板カラー撮像素子）８０２と、画像信号をディジタル画像データに変換するＡ／Ｄ変換手段８０３と、画像データのホワイトバランス補正処理を行うホワイトバランス補正手段８０４と、ホワイトバランス補正手段８０４によって補正された画像データを記憶する記憶手段８０５と、撮像する画像についてカラー画像か白黒画像かをユーザが指定するためのカラー／白黒指定手段８０６と、カラー／白黒指定手段８０６によりカラー画像の撮像が指定されたときにカラー補間などの処理を行い各画素のＲＧＢ３原色信号を再構成する信号処理手段８０７とを備えている。カラー／白黒指定手段８０６により白黒画像が指定されたときは、記憶手段８０５からホワイトバランス補正処理された画像データが読み出されて出力される。
【０００７】
この装置のホワイトバランス補正手段８０４は、自然な画像が得られるように、Ｒ、Ｇ、Ｂの各色に対応する画素の信号強度を調整する。この調整は、次のように行われる。
予め白紙等の白色被写体を撮像し、そのときのＲ、Ｇ、Ｂ各色に対応する画素の信号値を求める。この信号値の信号レベルをＲ０、Ｇ０、Ｂ０とするとき、Ｒ、Ｇ、Ｂ各色に対応する画素における信号強度調整用の補正係数Ｋｒ、Ｋｇ、Ｋｂを、それぞれ以下の（数５）〜（数７）により求める。
Ｋｒ＝ＭＡＸ（Ｒ０、Ｇ０、Ｂ０）／Ｒ０    ・・・・（数５）
Ｋｇ＝ＭＡＸ（Ｒ０、Ｇ０、Ｂ０）／Ｇ０    ・・・・（数６）
Ｋｂ＝ＭＡＸ（Ｒ０、Ｇ０、Ｂ０）／Ｂ０    ・・・・（数７）
ここでＭＡＸ（Ｒ０、Ｇ０、Ｂ０）は、Ｒ０、Ｇ０、Ｂ０の最大値を表す。
ホワイトバランス補正手段８０４は、画像撮影時にＡ／Ｄ変換手段８０３から送られて来るＲ、Ｇ、Ｂ各色の信号にそれぞれＫｒ、Ｋｇ、Ｋｂを乗じることにより、各画素の信号値に対して、色に応じた強度調整を行う。
【０００８】
ホワイトバランスが補正された画像データは、記憶手段８０５に蓄積され、カラー／白黒指定手段８０６によりカラー画像が指定されたときは、記憶手段８０５から読み出されて、信号処理手段８０７でカラー補間処理が行われ、各画素のＲＧＢ３原色信号が再構成される。
また、カラー／白黒指定手段８０６により白黒画像が指定されたときは、ホワイトバランス補正の行われた画像データが記憶手段８０５から読み出され、白黒画像データとして出力される。
このように、この装置では、Ｒ、Ｇ、Ｂ各色の画素で読み取った輝度信号に対して各画素の色に応じた強度調整を行うためにホワイトバランス補正が行われ、白黒画像を得る場合には、ホワイトバランス補正後の画像データが白黒画像のデータとされる。この方法によると、カラー補間処理を経ずに白黒画像信号を得ることができるため、白黒画像の撮像処理時間を短くできる。
【特許文献１】特開２００３−２８９４４２号公報
【非特許文献１】小川勝久「ＭＡＴＬＡＢを用いたイメージセンサ画像処理」マルチメディア開発のためのＭＡＴＬＡＢ＆パートナーソリューション、ＤＳＰ／通信デザインカンファレンス２０００ユーザ講演資料
【発明の開示】
【発明が解決しようとする課題】
【０００９】
近年、撮像装置付きの携帯電話では、風景や人物などのカラー画像を撮像するだけでなく、文字等を白黒画像で撮像して文字認識・圧縮保存を行うメモ機能や、それらのデータをＦＡＸ送信する機能が検討されている。
しかし、前記特許文献１に記載された白黒画像の生成方法、即ち、単板カラーイメージセンサの出力をＡ／Ｄ変換し、変換後の信号をホワイトバランス補正手段のみで補正し、得られた輝度信号Ｙを白黒画像データとする方法では、高精細な白黒画像が得られないと言う問題点がある。原理的には、単板カラーイメージセンサより得られるＲ、Ｇ、Ｂの信号強度の比率は、光源等の明るさに関わらず、同じであるので、各色の画素の信号値に各色ごとの補正係数を乗ずれば白黒画像の輝度信号が得られる筈なのだが、実際には、画素毎の感度のばらつきや、信号レベルによって変動する感度のばらつきなどがあり、ホワイトバランス補正のようなゲイン補正だけでは画素毎のばらつきを補正することができない。この画素毎のばらつきは、白黒画像の画質劣化を引き起こすことになる。
【００１０】
また、前記非特許文献１に記載された方法により、カラー補間処理で求めた色信号から輝度信号Ｙを算出し、この輝度信号Ｙを白黒画像データとすることも可能だが、この場合には、輝度信号Ｙを得るために、隣接する周辺３×３画素を対象にフィルタ処理を施しているので、白黒画像の水平及び垂直解像度が劣化してしまうという問題点を有している。
そのため、前記特許文献１や前記非特許文献１の方法で取得した白黒画像を文字認識の対象とする場合には、水平及び垂直解像度の低下や画素毎のばらつきにより、文字を正しく認識することが難しくなる。また、この白黒画像を圧縮保存したり、ＦＡＸ送信したりする場合には、画素毎のばらつきの影響で圧縮率が低下し、また、ＦＡＸした文字が読みにくくなる。
【００１１】
本発明は、こうした従来の問題点を解決するものであり、カラー画像と、画素単位のばらつきを抑えた高解像度の白黒画像とを撮ることができる撮像装置を提供し、また、その撮像装置を備えた携帯端末や文字認識装置を提供することを目的としている。
【課題を解決するための手段】
【００１２】
そこで、本発明では、撮像装置に、特定の色に感度を持つ色フィルタをマトリクス状に配列した単板カラー撮像素子により入力画像を得る撮像手段と、撮像手段の出力信号をディジタル信号に変換するＡ／Ｄ変換手段と、Ａ／Ｄ変換手段の出力信号のゲインを画素毎に調整するゲイン補正手段と、撮像手段で撮像される画像をカラー画像にするか白黒画像にするかを指定するカラー／白黒指定手段と、カラー／白黒指定手段が指定する画像に応じてフィルタ係数を選択したフィルタを用いて、ゲイン補正手段によりゲインが調整された信号にフィルタ処理を施すフィルタ手段と、フィルタ手段で処理された信号にカラー画像用の処理を行う信号処理手段とを設け、カラー画像信号として、信号処理手段で処理された信号を出力し、白黒画像信号として、フィルタ手段で処理された信号を出力するように構成している。
この撮像装置では、ゲイン補正処理後にフィルタ処理を施しているため、画素単位のばらつきが抑えられ、高解像度の白黒画像が取得できる。また、白黒画像を取得する際のフィルタ手段は、カラー補間処理で使用していたローパスフィルタの係数を変更することで実現できるため、回路などの増加を必要としない。
【００１３】
また、本発明では、撮像装置の前記フィルタ手段が、カラー／白黒指定手段の出力に応動してフィルタの係数を切り替えるようにしている。
また、本発明では、前記撮像装置と、この撮像装置のカラー／白黒指定手段の指定情報に応じて、撮像装置から出力されるカラー画像信号または白黒画像信号を選択する信号選択手段と、信号選択手段により選択された白黒画像信号を用いて文字認識を行う文字認識手段とにより撮像装置付き文字認識装置を構成している。
この文字認識装置では、撮像装置から出力される高精細の白黒画像を用いて文字認識を行っているため、認識率が向上する。
【００１４】
また、本発明では、前記撮像装置と、この撮像装置から出力される白黒画像信号を２値画像信号に変換する２値化手段と、撮像装置のカラー／白黒指定手段の指定情報に応じて、撮像装置から出力されるカラー画像信号、または、２値化手段から出力される２値画像信号を選択する信号選択手段と、信号選択手段により選択されたカラー画像信号または２値画像信号を圧縮する圧縮手段と、圧縮手段で圧縮された画像信号を保存する保存手段とにより撮像装置付き携帯端末を構成している。
この携帯端末では、高解像度の白黒画像を高圧縮して保存できる。
また、本発明では、前記撮像装置と、この撮像装置のカラー／白黒指定手段の指定情報に応じて、撮像装置から出力されるカラー画像信号または白黒画像信号を選択する信号選択手段と、信号選択手段により選択されたカラー画像信号または白黒画像信号をＦＡＸ信号に変換する変換手段と、変換手段により変換されたＦＡＸ信号を送信するＦＡＸ送信手段とにより撮像装置付き携帯端末を構成している。
この携帯端末では、高解像度の白黒画像をＦＡＸ送信できる。
【発明の効果】
【００１５】
本発明の撮像装置は、画素毎のばらつきが無い高解像度の白黒画像を得ることができ、しかも、撮像装置の回路規模を増加すること無く、それを実現できる。
また、本発明の文字認識装置は、高精細の白黒画像を用いて文字認識を行うため、認識精度の高い文字認識が実現できる。
また、本発明の撮像装置付き携帯端末は、高精細の白黒画像を少ない量のメモリで保存することができる。
また、本発明の撮像装置付き携帯端末は、高精細の白黒画像をＦＡＸ送信することができる。
【発明を実施するための最良の形態】
【００１６】
（第１の実施形態）
本発明の第１の実施形態では、撮像装置について説明する。
図１のブロック図に示すように、この撮像装置１００は、単板カラーイメージセンサで被写体を撮像する撮像手段１０１と、撮像手段１０１の出力をアナログ信号からディジタル信号に変換するＡ／Ｄ変換手段１０２と、Ａ／Ｄ変換された画像信号のゲイン補正を行うゲイン補正手段１０３と、カラー補間処理を行うカラー補間手段１０４と、カラー画像を撮像するか白黒画像を撮像するかを指定するカラー／白黒指定手段１０５とを備えており、カラー補間手段１０４は、カラー／白黒指定手段１０５の指定に応じて、フィルタのフィルタ係数を変えて画像信号へのフィルタ処理を行うフィルタ手段１０６と、カラー／白黒指定手段１０５でカラー画像が指定されたときに、フィルタ処理された画像信号を用いてカラー画像を再構成するカラー信号処理手段１０７とを具備している。
【００１７】
この撮像装置１００からは、カラー／白黒指定手段１０５における画像の指定情報が外部に出力され、カラー／白黒指定手段１０５でカラー画像が指定されたときは、カラー信号処理手段１０７で再構成されたカラー画像信号が出力され、また、カラー／白黒指定手段１０５で白黒画像が指定されたときは、フィルタ手段１０６で処理された画像データが白黒画像データとして出力される。
ここで、ゲイン補正手段１０３、カラー補間手段１０４、カラー／白黒指定手段１０５、フィルタ手段１０６及びカラー信号処理手段１０７は、ハードロジック、ＤＳＰ（Digital Signal Processor）、または、コンピュータによるソフト処理のいずれを用いて実現しても良い。
【００１８】
次に、この撮像装置の動作について説明する。
撮像手段１０１は、単板カラーイメージセンサで被写体を撮像する。撮像で得られた映像信号は、Ａ／Ｄ変換手段１０２でディジタル信号に変換され、ゲイン補正手段１０３に入力される。ゲイン補正手段１０３は、白色光を撮像した場合に白色が再現できるように各色の画素の信号レベルに対してゲイン補正を行う。ゲイン補正は、それぞれの色の画素における信号レベルの平均値を求め、それぞれの色の平均値が均一レベルになるように調整する。
ゲイン補正手段１０３でゲインが調整された信号は、カラー補間手段１０４のフィルタ処理手段１０６に入力される。
【００１９】
一方、カラー／白黒指定手段１０５において、取得する画像をカラー画像とするか白黒画像とするかが指定され、その指定に応じた制御信号が出力され、フィルタ処理手段１０６に入力される。
フィルタ処理手段１０６は、ゲイン補正手段１０３がゲインを調整した信号に対し、ディジタルフィルタを用いてフィルタ処理を施す。このとき、フィルタのフィルタ係数は、カラー／白黒指定手段１０５でカラー画像が指定された場合と白黒画像が指定された場合とで異なる値を選択する。高精細な白黒画像を得るためには、フィルタ係数として、解像度を損なわず、且つ、ゲイン補正手段１０３においてゲイン補正しきれない場合に発生する画素のばらつきを抑えることができる係数を選択する必要がある。
【００２０】
例えば、カラー画像が指定された場合は、図７（ａ）、（ｂ）に例示する、従来のカラー補間方法で用いているフィルタ係数を選択し、白黒画像が指定された場合は、図２に示すフィルタ係数を選択する。
従来のカラー補間方法で用いているフィルタ係数（図７（ａ）、（ｂ））が選択された場合は、各画素（注目画素）の周辺の３×３画素を対象にフィルタ処理が行われ、各画素(注目画素)における補間カラーの画像信号が生成される。
また、図２に示すフィルタ係数が選択された場合は、各画素(注目画素)を例えば左上に含む２×２画素を対象にフィルタ処理が行われ、各画素(注目画素)における輝度信号が生成される。この２×２画素を対象とするフィルタ処理により、ゲイン調整された画像信号に発生している画素単位のばらつきが是正され、画質劣化が抑えられる。また、カラー画像取得時のフィルタよりも小さいフィルタを使うことで高精細な白黒画像が得られる。
【００２１】
白黒画像が指定されている場合は、フィルタ処理手段１０６が図２のフィルタ係数を選択してフィルタ処理した信号が白黒画像信号として出力される。
また、カラー画像が指定されている場合は、フィルタ処理手段１０６が図７（ａ）、（ｂ）に例示するフィルタ係数を選択してフィルタ処理した信号がカラー信号処理手段１０７に出力される。カラー信号処理手段１０７は、フィルタ処理手段１０６から入力した信号を用いて各画素での輝度信号の生成や輪郭強調などの処理を行い、各画素のＲＧＢ３原色信号を再構成して出力する。
【００２２】
このように、この撮像装置は、白黒画像の撮像が指定されたときに、画像信号に対して、ゲイン補正の後に、小さいフィルタを用いてフィルタ処理を行っているため、白黒画像を取得する際に発生する画素のばらつきを抑えた高解像度の白黒画像を得ることができる。
また、このフィルタ処理を行うフィルタ処理手段は、従来のカラー補間処理用のフィルタ手段を兼用し、カラー／白黒指定手段の画像指定に応じてフィルタ係数を選択するだけで実現できる。そのため、従来のカラー撮像装置に新たな構成を追加することなく高解像度の白黒画像を取得することができる。
【００２３】
なお、ここでは、ゲイン補正手段１０３のゲイン補正方法として、それぞれの色の画素における信号レベルの平均値が均一レベルになるようにゲイン補正する場合について説明したが、従来の撮像装置で示したように、（数５）〜（数７）から信号強度調整用の補正係数Ｋｒ、Ｋｇ、Ｋｂを求めてゲインを補正したり、各色の最大値が同じ値になるようにゲインを補正したりしてもよい。
【００２４】
(第２の実施形態)
本発明の第２の実施形態では、文字認識機能を持つ携帯端末について説明する。
図３のブロック図に示すように、この文字認識機能を持つ携帯端末は、第１の実施形態で説明した撮像装置１００と、撮像装置１００から入力する制御信号に基づいて、撮像装置１００から出力されるカラー画像信号または白黒画像信号を選択する信号選択手段３０１と、選択された白黒画像から文字を認識する文字認識手段３０２とを備えている。撮像装置１００の構成は第１の実施形態（図１）と同じである。
【００２５】
次に、この携帯端末の文字認識装置としての動作について説明する。
撮像装置１００は、第１の実施形態で説明したように、取得する画像がカラー画像であるか白黒画像であるかを指定する制御信号と、カラー画像信号と、白黒画像信号とを出力し、それらが信号選択手段３０１に入力する。
信号選択手段３０１は、制御信号に従ってカラー画像信号または白黒画像信号を選択して出力する。信号選択手段３０１は、制御信号に従って選択した白黒画像信号を文字認識手段３０２に出力する。文字認識手段３０２は、白黒画像信号を用いて文字認識を行い、文字認識の結果が表示手段（不図示）で表示され、あるいは、保存手段(不図示)にテキストデータとして保存される。
【００２６】
また、信号選択手段３０１は、制御信号に従って選択したカラー画像信号を表示手段（不図示）、あるいは、保存手段(不図示)に出力し、表示手段はカラー画像を表示し、保存手段はカラー画像を保存する。
この文字認識装置は、白黒画像が指定された場合に、撮像装置から出力される高精細な白黒画像を用いて文字認識を行うため、認識率が向上する。
【００２７】
（第３の実施形態）
本発明の第３の実施形態では、画像信号を圧縮して保存する撮像装置付き携帯端末について説明する。
図４のブロック図に示すように、この携帯端末は、第１の実施形態で説明した撮像装置１００と、白黒画像信号を２値化する２値化手段４０１と、撮像装置１００から出力されるカラー画像信号または２値化された白黒画像信号を選択する信号選択手段４０２と、選択された画像信号を圧縮する圧縮手段４０３と、圧縮された画像信号を保存する保存手段４０４とを備えている。撮像装置１００の構成は第１の実施形態（図１）と同じである。
【００２８】
次に、この撮像装置付き携帯端末の動作について説明する。
撮像装置１００は、第１の実施形態で説明したように、取得する画像がカラー画像であるか白黒画像であるかを指定する制御信号と、カラー画像信号と、白黒画像信号とを出力する。制御信号及びカラー画像信号は信号選択手段３０１に入力し、白黒画像信号は２値化手段４０１に入力する。２値化手段４０１は、この白黒画像信号を２値化して２値化画像信号を出力し、この２値化画像信号は信号選択手段４０２に入力する。
信号選択手段４０２は、制御信号に従って、カラー画像信号または２値化画像信号を選択し、圧縮手段４０３に出力する。圧縮手段４０３は、入力したカラー画像または２値化画像の画像圧縮を行い、圧縮された画像が保存手段４０４で保存される。保存手段４０４に保存された画像は、表示手段（不図示）で画像表示したり、あるいは、画像送信手段(不図示)から送信したりすることができる。
【００２９】
このように、この撮像装置付き携帯端末は、カラー画像の取得が指定された場合に、撮像装置で撮像された通常のカラー画像を圧縮、保存し、また、白黒画像の取得が指定された場合に、撮像装置より出力された高精細な白黒画像を２値化して圧縮、保存する。この２値化で、白黒画像を高圧縮率で保存することが可能になり、画像の保存に使用するメモリ量を減らすことができる。
【００３０】
（第４の実施形態）
本発明の第４の実施形態では、ファックス送信機能を持つ撮像装置付き携帯端末について説明する。
図５のブロック図に示すように、この携帯端末は、第１の実施形態で説明した撮像装置１００と、撮像装置１００から出力されるカラー画像信号または白黒画像信号を選択する信号選択手段５０１と、入力した画像信号を２値化してＦＡＸ信号に変換するＦＡＸ信号変換手段５０２と、ＦＡＸ信号を送信するＦＡＸ送信手段５０３とを備えている。撮像装置１００の構成は第１の実施形態（図１）と同じである。
【００３１】
次に、この撮像装置付き携帯端末の動作について説明する。
撮像装置１００は、第１の実施形態で説明したように、取得する画像がカラー画像であるか白黒画像であるかを指定する制御信号と、カラー画像信号と、白黒画像信号とを出力し、それらが信号選択手段５０１に入力する。
信号選択手段５０１は、制御信号に従って、カラー画像信号または白黒画像信号を選択してＦＡＸ信号変換手段５０２に出力する。ＦＡＸ信号変換手段５０２は、入力されたカラー画像信号または白黒画像信号を２値化してＦＡＸ信号に変換し、ＦＡＸ送信手段５０３は、このＦＡＸ信号をＦＡＸ送信する。
【００３２】
このように、この撮像装置付き携帯端末は、カラー画像の取得が指定された場合に、撮像装置で撮像された通常のカラー画像の画像信号をＦＡＸ信号に変換して送信し、また、白黒画像の取得が指定された場合に、撮像装置より出力された高精細な白黒画像をＦＡＸ信号に変換して送信する。そのため、鮮明な白黒画像をＦＡＸで送信することができる。
【産業上の利用可能性】
【００３３】
本発明の撮像装置は、カラー画像及び白黒画像が撮像できるカメラ装置として、単独で、あるいは、携帯電話や固定電話、時計、テレビ等の機器等に搭載して、広く利用することができる。
また、本発明の撮像装置付き文字認識装置及び携帯端末は、文字認識や画像データの圧縮保存を行うメモ機能、あるいは、保存したデータのＦＡＸ送信機能を持つ携帯電話やＰＤＡ等として広く利用することができる。
【図面の簡単な説明】
【００３４】
【図１】本発明の第１の実施形態における撮像装置の構成を示すブロック図
【図２】本発明の第１の実施形態におけるフィルタ処理の係数を示す図
【図３】本発明の第２の実施形態における撮像装置付き携帯端末の構成を示すブロック図
【図４】本発明の第３の実施形態における撮像装置付き携帯端末の構成を示すブロック図
【図５】本発明の第４の実施形態における撮像装置付き携帯端末の構成を示すブロック図
【図６】従来の撮像装置の単板カラーイメージセンサにおけるカラーフィルタを示す図
【図７】（ａ）従来の撮像装置においてＲ（赤）の画素に対しＧ(緑)のカラー補間を行うフィルタ処理の係数を示す図、（ｂ）従来の撮像装置においてＲ（赤）の画素に対しＢ(青)のカラー補間を行うフィルタ処理の係数を示す図
【図８】従来の撮像装置における機能構成図
【符号の説明】
【００３５】
１００  撮像装置
１０１  撮像手段
１０２  Ａ／Ｄ変換手段
１０３  ゲイン補正手段
１０４  カラー補間手段
１０５  カラー／白黒指定手段手段
１０６  フィルタ処理
１０７  カラー信号処理手段
３０１  信号選択手段
３０２  文字認識手段
４０１  ２値化手段
４０２  信号選択手段
４０３  圧縮手段
４０４  保存手段
５０１  信号選択手段
５０２  ＦＡＸ信号変換手段
５０３  ＦＡＸ送信手段
８０１  光学レンズ
８０２  単板カラーイメージセンサ
８０３  Ａ／Ｄ変換手段
８０４  ホワイトバランス補正手段
８０５  保存手段
８０６  カラー／白黒指定手段
８０７  信号処理手段
【図１】
2005328338.tif 000003
【図２】
2005328338.tif 000004
【図３】
2005328338.tif 000005
【図４】
2005328338.tif 000006
【図５】
2005328338.tif 000007
【図６】
2005328338.tif 000008
【図７】
2005328338.tif 000009
【図８】
2005328338.tif 000010